【手続補正書】
【提出日】平成15年12月18日(2003.12.18)
【手続補正１】
【補正対象書類名】明細書
【補正対象項目名】発明の名称
【補正方法】変更
【補正の内容】
【発明の名称】紹介患者仲介システム、紹介患者仲介サーバ、紹介患者仲介プログラムおよび紹介患者仲介方法
【手続補正２】
【補正対象書類名】明細書
【補正対象項目名】特許請求の範囲
【補正方法】変更
【補正の内容】
【特許請求の範囲】
【請求項１】
患者の紹介元となる複数の紹介元医療機関にそれぞれ配備された複数の紹介元クライアントマシンと、
紹介患者の受入先となる複数の受入先医療機関にそれぞれ配備された複数の受入先クライアントマシンと、
前記複数の紹介元クライアントマシンおよび前記複数の受入先クライアントマシンに通信回線網を介して接続された、患者の紹介を仲介する紹介患者仲介サーバとを有し、
前記紹介患者仲介サーバは、
前記紹介元クライアントマシンから送信されてきた、他の医療機関への紹介を希望する紹介希望患者に関する紹介希望患者情報を受け付ける紹介希望患者情報受付部と、
前記紹介希望患者情報受付部により受け付けられた紹介希望患者情報を受入先クライアントマシンに対して公開する紹介希望患者情報公開部と、
前記受入先クライアントマシンから送信されてきた、公開された紹介希望患者情報に記述された患者の中から受入を希望する受入希望患者を指定した受入希望患者情報を受け付ける受入希望患者情報受付部と、
前記受入希望患者情報受付部により受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知部とを備え、
前記複数の紹介元クライアントマシンそれぞれは、
操作に応じて、他の医療機関への紹介を希望する紹介希望患者に関する紹介希望患者情報を作成して前記紹介患者仲介サーバに送信する紹介希望患者情報作成部と、
前記紹介患者仲介サーバから送信されてきた、自分の紹介希望患者に関する前記受入希望患者情報を受け付ける受入希望患者情報受付部とを備え、
前記複数の受入先クライアントマシンそれぞれは、
前記紹介患者仲介サーバから送信されてきた紹介希望患者情報を受け付ける紹介希望患者情報受付部と、
前記紹介希望患者情報受付部により受け付けられた紹介希望患者情報に記述された患者の中から受入を希望する受入希望患者を操作に応じて指定することにより受入希望患者情報を作成して前記紹介患者仲介サーバに送信する受入希望患者情報作成部とを備えたことを特徴とする紹介患者仲介システム。
【請求項２】
通信回線網を介して、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバにおいて、
前記紹介元クライアントマシンから送信されてきた、他の医療機関への紹介を希望する紹介希望患者に関する紹介希望患者情報を受け付ける紹介希望患者情報受付部と、
前記紹介希望患者情報受付部により受け付けられた紹介希望患者情報を受入先クライアントマシンに対して公開する紹介希望患者情報公開部と、
前記受入先クライアントマシンから送信されてきた、公開された紹介希望患者情報に記述された患者の中から受入を希望する受入希望患者を指定した受入希望患者情報を受け付ける受入希望患者情報受付部と、
前記受入希望患者情報受付部により受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知部とを備えたことを特徴とする紹介患者仲介サーバ。
【請求項３】
通信回線網に接続されたコンピュータを、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作させる紹介患者仲介プログラムであって、
コンピュータを、
前記紹介元クライアントマシンから送信されてきた、他の医療機関への紹介を希望する紹介希望患者に関する紹介希望患者情報を受け付ける紹介希望患者情報受付手段と、
前記紹介希望患者情報受付手段により受け付けられた紹介希望患者情報を受入先クライアントマシンに対して公開する紹介希望患者情報公開手段と、
前記受入先クライアントマシンから送信されてきた、公開された紹介希望患者情報に記述された患者の中から受入を希望する受入希望患者を指定した受入希望患者情報を受け付ける受入希望患者情報受付手段と、
前記受入希望患者情報受付手段により受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知手段
として動作させることを特徴とする紹介患者仲介プログラム。
【請求項４】
通信回線網に接続された、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作するコンピュータが、
前記紹介元クライアントマシンから送信されてきた、他の医療機関への紹介を希望する紹介希望患者に関する紹介希望患者情報を受け付ける紹介希望患者情報受付ステップと、
前記紹介希望患者情報受付ステップにより受け付けられた紹介希望患者情報を受入先クライアントマシンに対して公開する紹介希望患者情報公開ステップと、
前記受入先クライアントマシンから送信されてきた、公開された紹介希望患者情報に記述された患者の中から受入を希望する受入希望患者を指定した受入希望患者情報を受け付ける受入希望患者情報受付ステップと、
前記受入希望患者情報受付ステップにより受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知ステップと
を実行することを特徴とする紹介患者仲介方法。
【手続補正３】
【補正対象書類名】明細書
【補正対象項目名】０００１
【補正方法】変更
【補正の内容】
【０００１】
【発明の属する技術分野】
本発明は、病院、診療所、療養施設などの医療機関相互間における紹介患者の仲介を行う紹介患者仲介システム、紹介患者仲介サーバ、紹介患者仲介プログラムおよび紹介患者仲介方法に関する。


【手続補正４】
【補正対象書類名】明細書
【補正対象項目名】００１３
【補正方法】変更
【補正の内容】
【００１３】
本発明は、上記事情に鑑み、紹介元医療機関から受入先医療機関に迅速かつ低コストで患者を紹介することのできる紹介患者仲介システム、紹介患者仲介サーバ、紹介患者仲介プログラムおよび紹介患者仲介方法を提供することを目的とする。


【手続補正５】
【補正対象書類名】明細書
【補正対象項目名】００１６
【補正方法】変更
【補正の内容】
【００１６】
また、上記目的を達成する本発明の紹介患者仲介プログラムは、
通信回線網に接続されたコンピュータを、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作させる紹介患者仲介プログラムであって、
コンピュータを、
上記紹介元クライアントマシンから送信されてきた、他の医療機関への紹介を希望する紹介希望患者に関する紹介希望患者情報を受け付ける紹介希望患者情報受付手段と、
上記紹介希望患者情報受付手段により受け付けられた紹介希望患者情報を受入先クライアントマシンに対して公開する紹介希望患者情報公開手段と、
上記受入先クライアントマシンから送信されてきた、公開された紹介希望患者情報に記述された患者の中から受入を希望する受入希望患者を指定した受入希望患者情報を受け付ける受入希望患者情報受付手段と、
上記受入希望患者情報受付手段により受け付けられた受入希望患者情報を、上記複数の紹介元クライアントマシンのうちの、その受入希望患者情報に記述された患者を紹介希望患者とする紹介希望患者情報を送信してきていた紹介元クライアントマシンに向けて通知する受入希望患者情報通知手段として動作させるものであることを特徴とする。
また、上記目的を達成する本発明の紹介患者仲介方法は、
通信回線網に接続された、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作するコンピュータが、
上記紹介元クライアントマシンから送信されてきた、他の医療機関への紹介を希望する紹介希望患者に関する紹介希望患者情報を受け付ける紹介希望患者情報受付ステップと、
上記紹介希望患者情報受付ステップにより受け付けられた紹介希望患者情報を受入先クライアントマシンに対して公開する紹介希望患者情報公開ステップと、
上記受入先クライアントマシンから送信されてきた、公開された紹介希望患者情報に記述された患者の中から受入を希望する受入希望患者を指定した受入希望患者情報を受け付ける受入希望患者情報受付ステップと、
上記受入希望患者情報受付ステップにより受け付けられた受入希望患者情報を、上記複数の紹介元クライアントマシンのうちの、その受入希望患者情報に記述された患者を紹介希望患者とする紹介希望患者情報を送信してきていた紹介元クライアントマシンに向けて通知する受入希望患者情報通知ステップと
を実行することを特徴とする。